(57)【要約】      （修正有）【課題】髪の美容処置を行いながら、同時に、最適なヘアスタイリングを行うための、効果的な空気の流れが得られる、ヘアドライヤを提供する。【解決手段】ヘアドライヤは、空気を取り入れるための入口開口と空気の流れを出力するための出口開口とを含んだ中空本体１０と、ハンドル２０と、を備える。中空本体１０の内部には、入口開口から空気を吸引し、且つ、出口開口からの出力中の空気の流れを発生させるのに適した、ファン２と、出口開口からの出力前の空気の流れを加熱するのに適した、ヒータ３と、が収容されている。さらに、中空本体１０の内部には、周囲の空気をイオン化させ活性酸素を生成するのに適した、ＵＶ−Ｃランプらかなる少なくとも１つのイオン発生器４が収容されている。このように製作されたヘアドライヤは、乾かす間に、髪の健康及び美容処置を行うことを可能にする。【選択図】図３
0003184920.tif 000002
【実用新案登録請求の範囲】
【請求項１】
ヘアドライヤ（１）において、
空気を取り入れるための入口開口（１１）と空気の流れを出力するための出口開口（１２）とを含んだ中空本体（１０）と、ハンドル（２０）と、を備え、
前記中空本体（１０）の内部には、
前記入口開口（１１）から空気を吸入し且つ前記出口開口（１２）からの出力に空気の流れを発生させるのに適した、ファン（２）と、
前記出口開口（１２）からの出力前に空気の流れを加熱するのに適した、ヒータ（３）と、
周囲の空気をイオン化するのに適した、少なくとも１つのイオン発生器（４）と、が収容されていることを特徴とするヘアドライヤ。
【請求項２】
前記イオン発生器（４）は、活性酸素を発生させるＵＶ−Ｃランプである、
請求項１記載のヘアドライヤ。
【請求項３】
前記出口開口（１２）において、銀に覆われたグリッド（１５）が、前記出口開口（１２）からの出力前の空気の流れに銀イオンを放出するのに適するように配置されている、
請求項１又は２に記載のヘアドライヤ。
【請求項４】
前記グリッド（１５）は、銀９９９‰に覆われている、
請求項２に記載のヘアドライヤ。
【請求項５】
フィルタ（１６）が、取り入れる空気を濾過するための、縁取られた生地（weave）のメッシュを備え、前記入口開口（１１）に配置されている、
請求項１〜４のいずれか１つに記載のヘアドライヤ。
【請求項６】
前記ハンドル（２０）の内部に、
空気の熱モード（高温、極めて高温）を選択する選択スイッチ（８）と、
入／切及び空気流（通常、出力増大）の選択スイッチ（８）と、
低温空気の分配用のスイッチ（８１）と、が収容されている、
請求項１〜５のいずれか１つに記載のヘアドライヤ。
【請求項７】
前記低温空気の分配用のスイッチ（８１）は、前記ハンドル（２０）の内部に凹設されている、
請求項６記載のヘアドライヤ。
【請求項８】
電力供給網への接続用の電力供給ケーブルを備え、
前記電力供給ケーブルは、前記ハンドル（２０）からの出口において、ベル型のケーブルパッキン押さえ（２１）を貫通している、
請求項１〜７のいずれか１つに記載のヘアドライヤ。
【請求項９】
前記ヒータ（３）は、熱交換面を増大させ且つ熱の拡散を促進するのに適した一連のフィン（３１）に、巻き付けられたレジスタを、備えている、
請求項１〜８のいずれか１つに記載のヘアドライヤ。
【請求項１０】
前記イオン発生器（４）は、前記ファン（２）と前記ヒータ（３）との間に、配置されている、
請求項１〜９のいずれか１つに記載のヘアドライヤ。
【考案の詳細な説明】
【技術分野】
【０００１】
本考案は、イオン発生器付きヘアドライヤに関する。
【背景技術】
【０００２】
知られているように、髪を乾かすステップは、後続の髪をスタイリングするステップにかなり影響を及ぼし得る。特に、髪が縮れること及び静電気に帯電されることを、防止することは重要である。
【０００３】
使用される多くの熱のために、乾かすステップが髪を損傷することを防止しながら、髪を保護する必要性も、特に感じられる。
【考案の概要】
【考案が解決しようとする課題】
【０００４】
本考案の目的は、髪の美容処置を行いながら、同時に、最適なヘアスタイリングを行うための、効果的な空気の流れを提供できる、ヘアドライヤを作ることである。
【課題を解決するための手段】
【０００５】
そのような目的は、空気を取り入れるための入口開口と空気の流れを出力するための出口開口（１２）とを含んだ中空本体と、ハンドルと、を備えたヘアドライヤであって、前記中空本体の内部には、前記入口開口から空気を吸入し且つ前記出口開口からの出力に空気の流れを発生させるのに適した、ファンと、前記出口開口からの出力前に空気の流れを加熱するのに適した、ヒータと、周囲の空気をイオン化するのに適した、少なくとも１つのイオン発生器と、が収容されていることを特徴とする、ヘアドライヤによって成し遂げられる。
【０００６】
本考案によるヘアドライヤの特性及び利点は、添付図面による非限定的な例示によりなされた、以下に与えられる説明から、明らかになるだろう。
【図面の簡単な説明】
【０００７】
【図１】本考案によるヘアドライヤの斜視図を示す。
【図２】本考案によるヘアドライヤの、図３に示す平面IIに沿った、上方からの断面図を示す。
【図３】本考案によるヘアドライヤの、図２に示す平面IIIに沿った、側方断面図を示す。
【図４】本考案によるヘアドライヤの、図３に示す平面IVに沿った、後方からの断面図を示す。
【考案を実施するための形態】
【０００８】
添付図面、特に図１を参照して、参照符合１は、一端部に空気を取り入れるための入口開口１１と、他端部から空気の流れを出力するための出口開口１２と、を有する中空本体１０を備えた、ヘアドライヤを全体的に示している。ヘアドライヤ１は、中空本体１０から下方へ延びる、スイッチ８の収容用の中空ハンドル２０を備えている。
【０００９】
中空本体１０の内部には、開口１１と開口１２との間に、ファン２が、入口開口１１から空気を吸気し且つ出口開口１２からの出力に空気の流れを発生させるのに適するように、収容されている。
【００１０】
中空本体１０の内部には、出口開口１２とファン２との間に、ヒータ３が、出口開口１２からの出力前の空気の流れを加熱するのに適するように、収容されている。好ましくは、ヒータ３は、熱交換面を増大させ且つ熱の拡散を促進するのに適した、一連のフィン３１に、巻き付けられたレジスタ（図示しない）を、備える。
【００１１】
中空本体１０の内部には、少なくとも１つのイオン発生器４が、ファン２とヒータ３との間に配置されて、周囲の空気をイオン化するのに適して収容されている。
【００１２】
使用時に、ファン２は、イオン発生器４によってイオン化されて、ヒータ３によって加熱されて、その後、イオン化された高温の流れとして出口開口１２を通して排出される、空気を、入口開口１１を通して吸引する。
【００１３】
好ましくは、イオン発生器４は、活性酸素を生成するＵＶ−Ｃランプである。中空本体１０の内部に吸引された空気の流れは、ナノメートルにおける特定の波長のおかげで、周囲の空気を、オゾン又は活性酸素（Ｏ３）を発生させる酸素の粒子で富化する、ＵＶ−Ｃランプに接触する。
【００１４】
中空本体１０の内部には、モータ６が、ファン２の動作用に収容されている。
【００１５】
図３に示すように、出口開口１２において、銀に覆われたグリッド１５が、出口開口１２からの出力前の空気の流れに銀イオン（ナノ粒子Ａｇ＋）を放出するのに適するように、配置されている。好ましくは、グリッド１５は、銀９９９‰で覆われている。
【００１６】
使用時に、既に活性酸素で富み、グリッド１５を横断する、開口１２からの出力中の高温空気の流れは、ヘアドライヤ１からの出力中の高温空気の流れを浄化する銀イオンで富化される。
【００１７】
ヘアドライヤ１から放出された空気の流れは、活性酸素のイオン及び銀イオンで富んでおり、乾かす間に、髪の健康及び美容処置を可能にする。特に、ヘアドライヤ１から放出される空気の流れは、着色を高め、且つ、毛幹を保護することを可能にする。
【００１８】
好ましくは、フィルタ１６が、入口開口１１に配置され、入口の空気を濾過するための、特別な、縁取られた生地（weave）のメッシュを備えている。
【００１９】
スイッチ８は、ハンドル２０の中に収容されている。特に、ヘアドライヤ１は、空気の熱モード（高温、極めて高温）を選択する選択スイッチと、入／切及び空気流の選択スイッチ（通常、出力増大）と、低温空気を分配するスイッチとを、備えている。図３に示されるように、低温空気スイッチ８１は、ユーザによる把持を容易にするように、ハンドル２０の内部に凹設されている。
【００２０】
ヘアドライヤ１は、電力供給網と接続して、モータ６、ヒータ３、及びイオン発生器４を起動させるために、ハンドル２０から出る電力供給ケーブル（図示しない）を備えている。
【００２１】
好ましくは、電力供給ケーブルは、ハンドル２０からの出口において、好ましくは、ケーブルを保護し、且つ、ケーブルが断線することを防止する、ベル型のケーブルパッキン押さえ２１を貫通するように作られている。
【００２２】
革新的なことに、本考案により作られたヘアドライヤは、髪の美容処置を行いながら、同時に、最適なヘアスタイリングを行うように、効率的な空気の流れを提供する。
【００２３】
有利なことに、本考案により作られたヘアドライヤは、乾かす間に、髪の健康及び美容処置を行うことを可能にする。
【００２４】
有利なことに、ＵＶ−Ｃランプの存在及び、その結果、本考案によるヘアドライヤによって放出される空気の流れ中のオゾン又は活性酸素（Ｏ３）の存在とは、髪に保護物資の層の形成を促進し、且つ、色素の作用（色素と髪の構造的成分との間に拘束の形成を促進する）を改善しながら、乾燥時間（その物質特性を変化させながら、水の蒸発を促進するように）を短縮することを可能し、髪の静電気を軽減する。
【００２５】
有利なことに、銀に覆われたグリッドの存在と、それにより、本考案によるヘアドライヤによって放出される空気流中の銀イオンの存在とは、銀ナノ粒子の防腐性及び殺菌材特性のおかげで、かゆみ及び皮膚炎の問題を改善しながら、ふけや脂漏を軽減するのに役立つ。
【００２６】
当業者は、添付の実用新案登録請求の範囲によって画定されるような、保護の範囲内に留まりながら、偶発的な要求を満足させるように、上述したヘアドライヤに変形をなしうることは、明らかである。
【図１】
0003184920.tif 000003
【図２】
0003184920.tif 000004
【図３】
0003184920.tif 000005
【図４】
0003184920.tif 000006